(57)【特許請求の範囲】
【請求項１】
高さが異なる複数の被写体を撮影する撮影手段と、撮影された画像を表示する表示手段と、表示された画像を選択させる操作手段と、選択された画像を出力する画像提供手段とを備えた映像プリント遊戯装置であって、
前記撮影手段は、第１のカメラと、前記第１のカメラより低い位置に設けられた第２のカメラとを備え、
前記表示手段は、第１のモニタと、前記第１のモニタより低い位置に設けられた第２のモニタとを備え、
前記画像提供手段は、前記撮影手段により撮影された画像のうちからユーザに所望の画像を選択させ、前記選択された画像を出力するものであり、
前記第１及び第２のモニタのうち少なくとも一つのモニタは、前記第１及び第２のカメラで撮影された夫々の画像を連続的に表示するものであり、
さらに、前記第１及び第２のカメラによって撮影された夫々の画像を、所定の面積割合及び位置に基づいて切出し、前記切出された夫々の画像を合成する画像合成手段を備え、
前記表示手段は、前記合成された画像を表示するものである
ことを特徴とする映像プリント遊戯装置。
【請求項２】
請求項１記載のモニタにおいて、
さらに、前記撮影された全ての画像を一覧表示し、この一覧表示された画像からユーザに複数の画像を選択させ、前記第１及び２のカメラで撮影された画像を連続的に表示するものである
ことを特徴とする映像プリント遊戯装置。
【請求項３】
請求項１記載の映像プリント遊戯装置において、前記操作手段は、
さらに、前記第１のカメラ若しくは第１のモニタの近傍に設けられた第１の操作部と、前記第２のカメラ若しくは第２のモニタの近傍に設けられた第２の操作部とを備えるものである
ことを特徴とする映像プリント遊戯装置。
【請求項４】
請求項１記載の映像プリント遊戯装置において、
前記第１の操作部は、前記第２の操作部の少なくとも一部の操作を制限させるものである
ことを特徴とする映像プリント遊戯装置。
【請求項５】
請求項１記載の映像プリント遊戯装置において、
さらに、前記第２のカメラで撮影された被写体を捕捉して認識する追尾手段を備え、
前記画像合成手段は、前記追尾手段が出力した画像と前記第１のカメラで撮影された画像とを合成するものである
ことを特徴とする映像プリント遊戯装置。
【発明の詳細な説明】
【技術分野】
【０００１】
本発明は、高さが異なる複数の被写体を撮影する撮影手段と、撮影された画像を表示する表示手段と、表示された画像を選択させる操作手段と、選択された画像を出力する画像提供手段とを備えた画像提供装置に関するものである。
【背景技術】
【０００２】
従来より、ゲームセンター等に設置され、被写体を撮影し画像をプリント排出する画像提供装置が広く普及している。このような画像提供装置は、カップル、友人若しくは親子など多様なユーザに利用される。ここで、従来の画像提供装置は、カメラ及びモニタが、成人用の高さに固定的に取付けられているため、顔の位置が低く撮影範囲に届かない子供等と一緒に撮影する場合は、例えば、親等の同伴者が備え付けの踏み台を子供に使わせるか、子供を抱き上げて撮影範囲に納めることが必要になっている。また、特許文献１のように、可動アームの先端にカメラを備えたことにより、アームを下方に動かして撮影することが可能な映像プリント遊戯装置が提案されている。
【０００３】
【特許文献１】登録実用新案第３０７１８２２号公報
【発明の開示】
【発明が解決しようとする課題】
【０００４】
しかしながら、この特許文献１記載の映像プリント遊戯装置も、モニタが高い位置で固定されている。そのため、顔位置の低いユーザは、同伴者の協力を必要とせずとも当該アームを下方に動かすことで自己を撮影範囲に収めることができるが、表示された画像を確認するためには下からモニタを見上げる状態になってしまう。この場合、モニタの視野角如何によっては満足に自己の画像を確認することが困難である。また、子供と同程度の顔位置の老人や車椅子使用者は、踏み台に上がることも、同伴者が抱上げることも困難であるため、これらの者は、たとえ同伴者がその場にいたとしても自己の画像を満足に確認することができない。このように、従来の画像提供装置は、顔位置の低いユーザに対してユーザフレンドリーとはいえない構成になっているため、これらユーザが積極的に画像提供装置を利用することが困難である。
【０００５】
本発明は、このような問題点を解決するため、顔位置の低いユーザ同士であっても、また複数のユーザの中に顔位置の低いユーザが含まれる場合であってもこれら全てのユーザが利用し易く親しみやすい画像提供装置を提供することを目的とする。
【課題を解決するための手段】
【０００６】
本発明によれば、高さが異なる複数の被写体を撮影する撮影手段と、撮影された画像を表示する表示手段と、表示された画像を選択させる操作手段と、選択された画像を出力する画像提供手段とを備えた画像提供装置であって、前記撮影手段は、顔位置の高い被写体を撮影する第１のカメラと、前記第１のカメラより低い位置に設けられ、顔位置の低い被写体を撮影する第２のカメラとを備え、前記表示手段は、第１のモニタと、前記第１のモニタより低い位置に設けられた第２のモニタとを備え、前記画像提供手段は、前記撮影手段により撮影された画像のうちからユーザに所望の画像を選択させ、前記選択された画像を出力するものである。
【０００７】
このような構成によれば、第１のカメラより低い位置に第２のカメラを備えたことにより、顔位置の低いユーザでも適切に撮影範囲に収めることができる。また、第１のモニタより低い位置に第２のモニタを備えたことにより、モニタの視野角にかかわらず、モニタに表示された画像を正面から確認させることができる。このように、ユーザフレンドリーな構成にしたことによって、顔位置の低いユーザ同士であっても、また複数のユーザの中に顔位置の低いユーザが含まれる場合であってもこれら全てのユーザが利用し易く親しみやすい画像提供装置を提供することができる。
【０００８】
この発明の１の実施形態によれば、前記第１及び第２のモニタは、前記第１若しくは第２のカメラで撮影された画像のうち少なくとも１つの画像をユーザの選択により表示するものである。
【０００９】
このような構成により、第１若しくは第２のモニタのうちから、画像を表示させるモニタを選択させることができる。また、選択されたモニタに第１及び第２のカメラで撮影された何れの画像を表示させるかを選択させることができる。例えば、ユーザは、まず第１のモニタを選択し、このモニタに表示させる画像を、第１及び第２のカメラで撮影された画像のうちから選択することができる。
【００１０】
この発明の別の１実施形態によれば、前記第１及び第２のモニタのうち少なくとも一つのモニタは、前記第１及び第２のカメラで撮影された夫々の画像を連続的に表示するものである。さらに、前記撮影された全ての画像を一覧表示し、この一覧表示された画像からユーザに複数の画像を選択させ、前記第１及び２のカメラで撮影された画像を連続的に表示するものである。
【００１１】
このような構成により、第１及び第２のカメラで撮影された複数の画像を連続表示することにより、ユーザに簡易に画像を確認させることができる。また、複数の画像を一覧表示し、ユーザに所望の画像を選択させてから連続表示をすることによって、画像が絞込まれ、より簡易に画像を確認させることができる。
【００１２】
この発明の更なる別の１実施形態によれば、前記操作手段は、前記第１のカメラ若しくは第１のモニタの近傍に設けられた第１の操作部と、前記第２のカメラ若しくは第２のモニタの近傍に設けられた第２の操作部とを備えるものである。
【００１３】
このような構成により、顔位置の高さにかかわらず、ユーザはどちらか使いやすい操作部を選択して操作ができる。
【００１４】
この発明の更なる別の１実施形態によれば、前記第１の操作部は、前記第２の操作部の少なくとも一部の操作を制限させるものである。
【００１５】
このような構成により、例えば、子供やペット等が第２の操作部に悪戯して同伴者の意図しない操作を行わせないようにすることができる。
【００１６】
この発明の更なる別の１実施形態によれば、前記第１及び第２のカメラによって撮影された夫々の画像を、所定の面積割合及び位置に基づいて切出し、前記切出された夫々の画像を合成する画像合成手段を備え、前記表示手段は、前記合成された画像を表示するものである。さらに、前記第２のカメラで撮影された被写体を捕捉して認識し、前記認識された画像を出力する追尾手段を備え、前記合成手段は、前記出力された画像と前記第１のカメラで撮影された画像とを合成するものである。
【００１７】
このような構成により、例えば、高さが異なる複数のユーザを第１及び第２のカメラで夫々撮影し、一画像として提供することができる。また、追尾機能を備えることにより、例えば、撮影時にカメラの前で挙動が安定しない子供やペットを適切に撮影することができる。
【発明の効果】
【００１８】
このような発明によれば、顔位置の低いユーザ同士であっても、また複数のユーザの中に顔位置の低いユーザが含まれる場合であっても全てのユーザが利用し易く楽しめる画像提供装置を提供することができる。
【発明を実施するための最良の形態】
【００１９】
以下、本発明の実施の形態を図面に基づいて説明する。なお、説明の便宜上、シャッターを切る前の画像を「動画」、シャッターを切った瞬間の画像を「静止画」、及び両者を含む場合を「画像」と夫々表記する。
【００２０】
図１は本発明の一実施形態に係る画像提供装置の全体斜視図を示している。この図において符号１で示す画像提供装置は、筐体２と、この筐体２の前面に備えられた第１及び第２のカメラ３、４、第１及び第２のモニタ５、６、コイン投入口９、赤外線通信部１０及びスピーカ１４と、筐体２の内部に備えられたプリント排出部１１及び制御ユニット１２と、筐体２の上部外周を被覆するカーテン１３（一部切り欠いて示す）とからなる。なお、図示しないが、演出用の照明関連装置を備えるものであってもよい。
【００２１】
第１及び第２のカメラ３、４は、何れも従来の画像提供装置と同様に撮影角度が調節可能なデジタルカメラで構成されている。これらのカメラ３、４は、後述する制御ユニット１２により、一の操作により同時に静止画を撮影する（シャッターを切る）ように制御されるが、個別に撮影操作を行えるものであってもよい。図示の例では、第１及び第２のカメラ３、４を１個ずつ設けているが、一方若しくは両方を複数個設けてもよい。また、これらのカメラ３、４は、広角度や解像度の異なる種類のカメラであってもよい。なお、以下においては、説明の便宜上、第１のカメラで撮影した画像を「第１の画像」、第２のカメラで撮影した画像を「第２の画像」と表記する。
【００２２】
第１のカメラ３は、主に顔位置の高い被写体を好適に撮影できるものであり、地上（筐体の底面。以下同様。）から１４０〜１６０センチメートル付近に設置される。また、第２のカメラ４は、主に顔位置の低い被写体を好適に撮影できるものであり、レンズ中心の高さは地上から１００〜１２０センチメートル付近に設置される。
【００２３】
第１のモニタ５、６は、何れも液晶モニタであり、第１及び第２のカメラ３，４で第１及び第２の動画をリアルタイムで表示するとともに、シャッターが切られた瞬間の静止画を一定時間（３〜５秒程度）表示するものである。また、ユーザに対して各種の操作案内メッセージも表示される。これらのモニタ５、６は、複数画像の一覧表示が可能なワイドサイズタイプが好適に採用される。表示する画像の切替えは、後述の操作部７、８によってユーザが選択可能である。モニタ起動時の表示画像の割当ては、第１の動画は第１のモニタ５に、第２の動画は第２のモニタ６に夫々表示するように予め設定される。
【００２４】
第１のモニタ５は、第１のカメラ３の下方であって、モニタ中心部が地上から１２０〜１４０センチメートル付近に設置される。本実施例では、顔位置の高いユーザが見易いように上方に向かって若干の傾斜をつけて設置されている。なお、ユーザにとって見易い角度となるように角度調整機能を備えてもよい。また、第２のモニタ６は、第２のカメラ４の下方であって、モニタ中心高さが８０〜１００センチメートル付近に設置される。
【００２５】
赤外線通信部１０は、ユーザの所有する携帯電話等に、選択された静止画を画像データとして送信するものである。
【００２６】
プリント排出部１１は、ユーザが選択した静止画を筐体２に内蔵されたプリンタ１１ａでシール台紙に印刷してプリント排出口１１ｂから排出するものである。赤外線通信を利用して画像データを無線送信するか、プリンタで印刷するかは、利用回ごと、画像ごとにユーザに選択させるようにしてもよい。
【００２７】
前記第１及び第２のモニタ５、６は、第１及び第２の操作部７、８が画面上に表示されて一体化されたタッチパネルで構成されている。この第１の操作部７は、図２に示すように、第１のモニタ切替えボタン７ａ及び７ｂと、第２のモニタ切替えボタン７ｃ及び７ｄと、合成ボタン７ｅと、連続表示ボタン７ｆと、制限ボタン７ｇとによって構成される。第１の操作部７は、これらのボタンは、所定の操作案内メッセージ等とともに第１のモニタ５に表示される。
【００２８】
第１のモニタ切替えボタン７ａ、７ｂは、第１及び第２の画像のうちから第１のモニタ５に表示させる画像をユーザに選択させるためのボタンである。例えば、上記した初期設定の状態で、ユーザが第１のモニタ切替えボタン７ｂをタッチすると、第１のモニタ５に第２の画像（動画）が表示される。さらに、この状態でユーザが第１のモニタ切替えボタン７ａをタッチすると、第１の動画と第２の動画とが並列的に表示される。
【００２９】
第２のモニタ切替えボタン７ｃ及び８ｃは、第１及び第２の画像のうちから第２のモニタ６に表示させる画像を選択させるものである。表示される画像の切り替え操作は、第１のモニタ切替えボタン７ａ、７ｂと同様である。
【００３０】
合成ボタン７ｅは、第１及び第２の動画を合成モードに移行させるためのものである。なお、合成処理については後述する。
【００３１】
連続表示ボタン７ｆは、複数の画像の連続表示と通常表示とを切り替えるためのボタンである。例えば、第１のモニタ５に動画が表示されている場合や、複数の静止画が後述する画像格納部１７に格納されている場合に、ユーザがこのボタン７ｆをタッチすると、複数の画像がスライドショー的に連続表示される。
【００３２】
制限ボタン７ｇは、第２の操作部８からの入力操作の一部又は全部を制限するためのボタンである。例えば、この制限ボタン７ｇをタッチすると、第２の操作部８のボタン表示のうち操作が制限されるボタンが消灯するように設定される。
【００３３】
これら合成ボタン７ｅ、連続表示ボタン７ｆ及び制限ボタン７ｇはタッチして夫々の機能が実行されると、例えば「ＯＦＦ」の表示に切替えるように構成される。
【００３４】
第２の操作部８は、図３に示すように、第１のモニタ切替えボタン８ａ及び８ｂと、第２のモニタ切替えボタン８ｃ及び８ｄと、合成ボタン８ｅと、連続表示ボタン８ｆとによって構成される。この第２の操作部８は、制限ボタン７ｇ以外は、第１の操作部７と同様の構成を備えるので、詳細説明は省略する。
【００３５】
これらの操作部７、８は、上記した複数のボタンのほかに、背景や文字等を書くことができるタッチペン等の操作手段を有するものであってもよい。
【００３６】
図４は、画像提供装置１の制御ユニット１２の機能ブロック図を示している。この制御ユニット１２は、図示しないＣＰＵにシステムバスを介してＲＡＭと、ＲＯＭやＨＤＤなどの外部記憶装置と、入出力インタフェース（Ｉ／Ｆ）とが接続された構成を有する。この外部記憶装置に、撮影された静止画を格納する画像格納部１７と、本発明の機能を奏するコンピュータプログラムとが格納される。入出力Ｉ／Ｆには、出力装置として、上記した第１及び第２のモニタ５、６、音響関連装置２１、赤外線通信部１０及びプリント排出部１１が夫々接続される。また、入力装置として、第１及び第２のカメラ３、４、第１及び第２の操作部７、８、コイン関連装置２０が夫々接続される。入力装置から各種データが入力されることで、外部記憶装置にインストールされたソフトウェアプログラムがＣＰＵによってＲＡＭ上に呼び出されて実行されることで、この発明の機能を奏するようになっている。
【００３７】
前記ソフトウェアプログラムは、動画から被写体の顔などの特徴情報を特定することで被写体を認識して捕捉する追尾部１５と、複数の画像を合成する画像合成部１６と、前記操作部７、８から入力された操作信号を受け付ける操作受付部１８と、赤外線通信部１０やプリント排出部１１に対してユーザが選択した画像信号を出力する画像提供部１９とを備えている。これらの機能部は、実際には、独立したプログラム、そのルーチン、モジュールなどである。
【００３８】
このような機能構成において、ユーザがコイン投入口９にコインが投入したことをコイン関連装置２０を介して制御ユニット１２が感知すると、この制御ユニット１２は、第１及び第２のカメラ３，４を起動させ、被写体の動画撮影を開始する。また、制御ユニット１２は、撮影された動画を第１及び第２のモニタ５，６に表示する。ここで、ユーザに画像の明るさ、背景の色等の撮影環境を設定させる所定の案内メッセージを第１及び第２のモニタ５、６に表示させてもよい。
【００３９】
全ての撮影環境が設定されると、制御ユニット１２は、第１及び第２のモニタ５、６に撮影ボタン（図示せず）を表示させる。この撮影ボタンがタッチされたことを感知すると、音響関連装置２１を介してスピーカ１４から秒読み等の撮影合図音を報知させ、この秒読みが終了した瞬間の画像を切り出して前記画像格納部１７にシリアル番号と共に格納する。この時、シリアル番号が撮影可能枚数（例えば、５枚）に達しているかを常に監視する。
【００４０】
ここで、第１、第２のカメラで動画を撮影中に、前記操作受付部１８が少なくとも一つのモニタ切替えボタン７ａ〜７ｄ若しくは８ａ〜８ｄの入力を感知すると、前記制御ユニット１２はその切替え指示に従って第１、第２の画像をモニタ５、６に出力する。
【００４１】
また、前記撮影可能枚数の静止画撮影が終了すると、前記制御ユニット１２の操作受付部１８は、画像格納部１７に格納された全ての静止画を読み出して第１、第２のモニタ５、６に一覧表示し、ユーザから所望の画像の選択を受け付ける。ユーザが画像を選択すると，この操作受付部１８は画像のシリアル番号をメモリに一時的に記憶すると共に、ユーザに画像提供方法（赤外線通信か、プリントか）の選択画面（ボタン）を表示して提供方法の選択を受け付ける。そして、ユーザから選択された画像のシリアル番号及び提供方法の識別記号を前記画像提供部１９に転送する。画像提供部１９は、受信した画像のシリアル番号に従って前記画像格納部１７から出力対象の画像を読み出すと共に、提供方法の識別記号に従って出力先を決定し、読み出した画像を赤外線通信部１０若しくはプリント排出部１１に出力する。
【００４２】
次に、図５及び図６を参照して、本実施形態に係る画像提供装置の具体的な使用例を説明する。これらの図に示す例は、何れも背の高い大人と背の低い子供が２台のカメラで撮影する場合である。
【００４３】
まず、図５は、大人が子供の高さに合わせてしゃがむことで、両者の顔がともに第２のカメラ４及びモニタ６のほぼ正面に位置している場合である。この場合は、高い位置の第１のカメラ３と低い位置の第２のカメラ４の両方で２人の顔を撮影し、気に入った方の画像を出力できる。
【００４４】
ユーザが、正面にある第２の操作部８（図３参照）の第２のモニタ切替えボタン８ｄをタッチしたり、連続表示ボタン８ｆをタッチすることで、しゃがみこんだ状態のままで正面の第２のモニタ６で、図５ｂに示す第１の動画と、図５ｃに示す第２の動画とを容易に確認できる。ユーザは、第１のカメラ３で撮影したい場合には、予め第１のカメラ３の向きを下方に調整しておく。
【００４５】
また、この動画と同一画面上には、明るさや背景などの撮影環境を設定するための案内メッセージ及び選択ボタンが表示され、ユーザは案内に従って撮影環境を設定していく。撮影環境がすべて設定されると画面上に撮影ボタンが表示される。ユーザは、自己の撮影体制が整い次第、この撮影ボタンにタッチする。すると、前記スピーカ１４からカウントダウンなどの撮影合図音が出力され、第１及び／若しくは第２のカメラ３、４で所定のタイミングで静止画撮影が行われる。この静止画は前記画像格納部１７にシリアル番号と共に格納されるとともに、一定時間第２のモニタ６に表示され、その後再び第２の動画に切替わる。このような操作を、画像格納部１７に格納された静止画が所定の撮影可能枚数（回数）に達するまで、若しくはユーザが出力画像の選択ボタンを押すまで繰り返す。
【００４６】
静止画が撮影可能枚数に達すると、画像格納部１７に格納された全ての静止画が第１及び第２のモニタ５，６に一覧表示される。ユーザは画面上に表示された一覧から所望の静止画をタッチして選択する。このとき、ユーザによって第１の操作部７若しくは第２の操作部８の連続表示ボタン７ｆ、８ｆがタッチされると、選択された静止画が第１及び第２のモニタ５、６に連続表示される。一定時間若しくは一定回数の連続表示が終了すると、出力する画像を最終決定するための決定ボタン（図示せず）が表示される。ユーザが、この決定ボタンをタッチすると、第２のモニタ６に、赤外線通信及びプリント排出のうちから所望の画像提供方法を選択させる画面が表示され、ユーザに選択された画像提供方法によって選択された画像が提供される。
【００４７】
次に、図６は、大人と子供が夫々立ったままで、両者の顔が第１及び第２のカメラ３、４のほぼ正面に位置している場合を示している。この場合は、第１のカメラ３と第２のカメラ４とで夫々のユーザの顔を撮影し、これらの画像を合成して出力できる。
【００４８】
まず、第１及び第２のモニタ５、６には初期設定により第１及び第２の画像が夫々表示される。この状態で、ユーザが第１若しくは第２の操作部７、８の画像合成ボタン７ｅ、８ｅにタッチすると、前記画像合成部１６が起動し、図６ｂ及び図６ｃに示すように、画像を合成するために予め設定された切出し枠（図中に点線で示す）を第１及び第２のモニタ５、６に表示された夫々の動画に重ねて表示する。この時、前記追尾部１５も起動して、画像から夫々の被写体（ユーザ）の顔の輪郭や目、鼻、口、耳などの形状・位置などの特徴情報を抽出して被写体を認識し、この被写体の動きを捕捉してカメラの焦点を合わせたまま保持する。前記画像合成部１６は、図６ｄに示す第２の画像から切出し枠に沿って画像を切り出すとともに、第１の画像からも同様に画像を切り出す。
【００４９】
そして、これら切り出した２つの画像を図６ｅに示すように所定位置に配置して、この画像を第１及び第２のモニタ５、６に夫々表示する。複数の画像を配置するレイアウト（上下、左右、大小など）をユーザが指定できるようにしてもよい。この合成された動画と同一画面上に撮影環境を設定するための案内メッセージ及び選択ボタンが表示される。切出し枠の外側に生じた余白は、予め設定されているか若しくはユーザによって作成される背景や文字等をこの環境設定時に合成させる。全ての環境設定が整うと画面上に撮影ボタンが表示され、上記と同様の処理によってユーザに提供される。
【００５０】
なお、この発明は上記の実施形態に限定されるものではなく、発明の要旨を変更しない範囲で種々変形可能である。
【００５１】
例えば、上記実施形態においては、背が高いユーザと背が低いユーザとが利用する場合を説明したが、飼い主とペット、車椅子利用者と介護者などの多様な組み合わせのユーザにとって使い勝手がよいものである。
【００５２】
また、第１、第２の操作部７、８のレイアウトなども適宜変更可能である。
【図面の簡単な説明】
【００５３】
【図１】図１は、本発明の１実施形態に係る画像提供装置の外観斜視図である。
【図２】図２は、第１の操作部の配置図である。
【図３】図３は、第２の操作部の配置図である
【図４】図４は、画像提供装置の概略構成を示す機能ブロック図である。
【図５】図５は、画像提供装置の利用状態の一例を示す図である。
【図６】図６は、画像提供装置の利用状態の一例を示す図である。
【符号の説明】
【００５４】
１…画像提供装置
２…筐体
３…第１のカメラ
４…第２のカメラ
５…第１のモニタ
６…第２のモニタ
７…第１の操作部
７ａ、７ｂ…第１のモニタ切替えボタン
７ｃ、７ｄ…第２のモニタ切替えボタン
７ｅ…合成ボタン
７ｆ…連続表示ボタン
７ｇ…制限ボタン
８…第２の操作部
８ａ、８ｂ…第１のモニタ切替えボタン
８ｃ、８ｄ…第２のモニタ切替えボタン
８ｇ…合成ボタン
８ｆ…連続表示ボタン
９…コイン投入口
１０…赤外線通信部
１１…プリント排出部
１１ａ…プリンタ
１１ｂ…プリント排出口
１２…制御ユニット
１３…カーテン
１４…スピーカ
１５…追尾部
１６…画像合成部
１７…画像格納部
１８…操作受付部
１９…画像提供部
２０…コイン関連装置
２１…音響関連装置
【図１】
0005230277.tif 000002
【図２】
0005230277.tif 000003
【図３】
0005230277.tif 000004
【図４】
0005230277.tif 000005
【図５】
0005230277.tif 000006
【図６】
0005230277.tif 000007